(57)【要約】【課題】従来の電気自動車の充電は、乗込場で給電口にパレットに内蔵されたプラグを引き出して接続して、駐車室に収納して電源を通電させていた。しかし、給電口がフロントの時、電気自動車の影に隠れて操作盤から見えない状態で危険であった。【解決手段】本発明の充電用電源８を備えた駐車場１は、駐車室Ｘに電動車両Ｃを搭載するパレット３を配置し、電動車両Ｃに給電可能なプラグ１１を備え、該プラグ１１は、駐車室Ｘから乗込場Ｓまで吊下げ、搬送機２と同速度で昇降及び収納可能に備え、  前記乗込場Ｓは、車両が乗入れ乗出し可能にする出入口１６を備えると共に、車両を旋回するターン装置１５を備え、入庫する電動車両Ｃは、前記ターン装置１５を介して給電口１２を乗込場Ｓの出入口１６側に向け、該出入口１６に電動車両Ｃの給電口１２とプラグ１１の接続をする作業領域１９にする構成。【選択図】図２
2013011155.tif 000002
【特許請求の範囲】
【請求項１】
駐車利用車が出入りする出入口のある乗込場を備え、乗込場の上段に複数段の駐車室を備え、該駐車室に車両を搭載するパレットを備え、駐車室に隣接して車両を乗込場と駐車室とを搬送する搬送機を備える駐車場において、
前記駐車室は、電動車両を搭載するパレットを配置し、電動車両に給電可能なプラグを備え、
前記プラグは、駐車室から乗込場まで吊下げ、搬送機に搭載された電動車両と同速度で昇降及び収納可能に備え、
前記乗込場は、車両が乗入れ乗出し可能にする出入口を備えると共に、車両を旋回するターン装置を備え、
入庫する電動車両は、前記ターン装置を介して給電口を乗込場の出入口側に向け、該出入口では、電動車両の給電口にプラグを取付け及び取外しする作業領域にすることを特徴とする給電接続領域を備えた駐車場。
【請求項２】
前記ターン装置は、入庫する電動車両を乗込場に前進して乗り入れ、給電口の位置をターン装置に入力することで、給電口を出入口側に旋回させることを特徴とする請求項１記載の給電接続領域を備えた駐車場。
【請求項３】
前記プラグを取付け取外しする領域は、乗込場の出入口の内外を敷地にすることを特徴とする請求項１記載の給電接続領域を備えた駐車場。
【請求項４】
前記出庫する電動車両は、駐車室から乗込場に搬送され、接続したプラグを取外すことで、出入口側に電気自動車のフロントを旋回させることを特徴とする請求項２記載の給電接続領域を備えた駐車場。
【発明の詳細な説明】
【技術分野】
【０００１】  本発明は、駐車場に電気自動車を駐車するとき、駐車時間中に電気自動車の蓄電池に充電させる駐車場であり、充電するプラグを駐車室に備え、入庫の乗入れ時に乗込場へプラグを吊下ろして接続作業するもので、その接続作業が安全にして容易に作業ができる広さを形成することができる作業領域に関するものである。
【背景技術】
【０００２】  従来の機械式駐車装置の充電作業は、入庫した電気自動車の駐車時間中に駆動源となる蓄電池に充電する動作を行うことになり、この充電装置を複数階の駐車室に充電パレットを配置して、充電パレットの動作により電気自動車を搭載可能に配置する。この充電パレットは、電気自動車の蓄電池に接続するケーブルが内蔵され、電気自動車の給電口に接続する作業が運転者に必要になる。電気自動車の給電口は、フロント側とリヤ側とに大別され、対応として充電パレットの前後にケーブル付きのプラグを内蔵している。入庫する電気自動車は、駐車場の乗込場に乗り入れて、給電口の位置する方向のプラグを引き出して取付けを行い、人が乗込場から外に出て入庫運転の操作を行うことで、電気自動車がリフトに搭載されて駐車室に搬送される。充電パレットは、電気自動車を搭載して駐車室に収納され、駐車室のコンセントと接触することで接続され電源の供給が始まる。【０００３】
【特許文献１】  特開２０１１−２６９２５号公報
【発明の開示】
【発明が解決しようとする課題】
【０００４】  従来の特許文献１の機械式駐車装置では、充電パレットに搭載する電気自動車のメーカごと位置が異なる給電口に対応するため、複数個所にケーブルが配置してあり、近いほうのケーブルを引き出して接続作業を行うことになる。接続作業は、乗込場に乗り入れた電気自動車の給電口がフロント側に位置するとき、運転者が乗込場の奥に入り込み接続作業を行うことになる。【０００５】  しかし、給電口に接続作業をしている作業者は、乗込場の奥であり、電動車両に接続作業でしゃがむ格好になり、電動車両に隠れている。機械式駐車装置の他の利用者が来たときは、その利用者から接続している前記作業者を発見することが難しい。入出庫動作させる操作盤は、出入口にあり、出入口から乗込場を確認しても接続作業者を発見することができない場合があり、もしも、入出庫の操作をしようとするときインターロック等の安全装置により作動しないようになっているが、安全装置の解除動作をして操作することができるため、確実ではなく不安である。
また、奥での接続作業では、狭い空間で接続位置が良く見えにくく、しゃがんでの作業で体位も悪い状態になり、接続不良等の作業ミスの確率が高くなり、充電を失敗することになり、手前での接続作業に比べ作業時間も余分に掛ることで、他の利用客に待ち時間を増やす欠点があった。【０００６】  本発明では、電動車両のメーカごとに異なる給電口を、乗込場の出入口に旋回させるターン装置を配置して、接続作業を出入口の乗込場と通路とを合わせた空間を利用して、楽な体位での作業領域を形成することを目的としている。
本発明の作業領域は、作業を容易にする広い空間と、操作盤からよく確認できる位置により、安全で安心して接続作業を正確に確実に速くすることができる空間を形成する駐車場を提供するものである。
【課題を解決するための手段】
【０００７】  請求項１の発明では、駐車利用車が出入りする出入口のある乗込場を備え、乗込場の上段に複数段の駐車室を備え、該駐車室に車両を搭載するパレットを備え、駐車室に隣接して車両を乗込場と駐車室とを搬送する搬送機を備える駐車場である。前記駐車室は、電動車両を搭載するパレットを配置し、電動車両に給電可能なプラグを備えている。
前記プラグは、駐車室から乗込場まで吊下げ、搬送機に搭載された電動車両と同速度で昇降及び収納可能に備える。前記乗込場は、車両が乗入れ乗出し可能にする出入口を備えると共に、車両を旋回するターン装置を備えている。入庫する電動車両は、前記ターン装置を介して給電口を乗込場の出入口側に向け、該出入口が電動車両の給電口にプラグを取付け及び取外しする作業領域にする構成とする。【０００８】  請求項２の発明では、請求項１のターン装置は、入庫する電動車両を乗込場に前進して乗り入れ、給電口の位置をターン装置に入力することで、給電口を出入口側に旋回させる構成とする。
請求項３の発明では、請求項１のプラグを取付け取外しする作業領域は、乗込場の出入口の内外を敷地にする構成とする。
請求項４の発明では、請求項２の出庫する電動車両は、駐車室から乗込場に搬送され、接続したプラグを取外すことで、出入口側に電動車両のフロントを位置させるように旋回する構成とする。【０００９】  請求項１の構成では、プラグの接続作業に乗込場の出入口側を、作業領域にするので、操作盤の位置からよく見えるところで作業ができる作用がある。
請求項２の構成では、給電口を出入口に旋回することができる作用がある。
請求項３の構成では、乗込場と出入口の通路の空間を、作業の敷地として使える作用がある。
請求項４の構成では、出庫車のフロントを出入口に旋回する作用がある。
【発明の効果】
【００１０】  請求項１の発明では、駐車場の機械を動作する操作盤の位置から乗込場の接続作業状態が良く見えるため、他の利用者が来ても操作盤を起動させることが無く、安全で安心して作業ができる効果がある。
請求項２の発明では、給電口が車種により前後位置が異なっても、ターン装置により出入口側に簡単に旋回することができる効果がある。
請求項３の発明では、乗込場の出入口と通路とを作業場所に利用するので、広い領域内で作業ができる効果がある。
請求項４の発明では、出庫車を容易に乗出すことができる効果がある。
【図面の簡単な説明】
【００１１】
【図１】  駐車場の側面図。
【図２】  駐車場の乗込場に入庫した電動車両の側面図。
【図３】  駐車場の乗込場に入庫した電動車両に接続作業をする側面図。
【図４】  入庫動作を示すフロチャート。
【図５】  出庫動作を示すフロチャート。
【発明を実施するための形態】
【００１２】  本発明は、駐車室Ｘに配置する電動車両Ｃを搭載するパレット３と、この電動車両Ｃに充電するプラグ１１とを備え、パレット３を搬送機２で乗込場Ｓに昇降させ、プラグ１１を駐車室Ｘから乗込場Ｓまで吊下げて、乗込場Ｓの出入口１６に電動車両Ｃの給電口１２を位置させて、操作盤１４を操作する人から見えるところでプラグ１１を接続する作業をする。乗込場Ｓは、入庫する電動車両Ｃの給電口１２を、出入口１６に旋回するターン装置１５を備え、給電口１２とプラグ１１を接続する空間を形成する構成にする。駐車場１は、エレベータ式の機械式立体駐車塔で説明するが、パレット式でもフォーク式でも多段多列方式でも同様に作用効果があり権利範囲とするが、本実施形態で一例としてパレット式の構造で説明をする。
【００１３】  図１は、パレット式の駐車場１であり、中央に昇降空間Ｅを備え、昇降空間Ｅに隣接する左右に駐車室Ｘを備え、駐車室Ｘにパレット３を横行装置４の駆動ローラ７で横行可能に配置している。駆動ローラ７は、パレット３の前後端に配置されて、パレット３を搭載して駆動回転により横行して昇降空間Ｅで搬送機２に受け取りされるものであり、他の機構として搬送機２に駆動ローラ７を配置して直にパレット３を受け取りするものもある。
横行装置４は、パレット３を駐車室Ｘと昇降空間Ｅとを往復動させるもので、駆動ローラ７に限定するものではなく、搬送機２に備えた旋回アームにより駐車室Ｘと搬送機２とを往復動させるものでもよい。
【００１４】  昇降空間Ｅは、４隅にガイドレール５を立設して、最上部に昇降駆動部を備え、この昇降駆動部の回転が索状体６を介して吊下げた搬送機２を昇降させ、搬送機２が水平にパレット３を搬送するようにガイドレール５に案内される。電動車両Ｃを入庫する駐車室Ｘは、電動車両Ｃを搭載するパレット３と、電動車両Ｃの蓄電池に充電する充電用電源８を備えている。パレット３は、入庫するとき搬送機２で駐車室Ｘから乗込場Ｓに下降させて入庫する電動車両Ｃの乗り入れを待つ。
【００１５】  充電用電源８は、駐車室Ｘから昇降空間Ｅに移動して、乗込場Ｓの出入口１６の上部に巻取りドラム９によるリード線１０の延出でプラグ１１を吊下げ、電動車両Ｃの給電口１２の上部付近に下降させることができる。ターン装置１５は、ピットＰに回転駆動部と上下動のシリンダを備え、パレット３を一旦上昇して旋回させてから、下降して床面と水平で平行な乗込床を形成し、人の通行も車両の出入りも可能にする。出入口１６は、地上面ＧＬと一線上にあり、乗込場Ｓを開閉するゲート２０を備え、側面に機械を操作する操作盤１４を備えて、庇の天井部に警報灯１３が状況により点灯し、道路に繋がって出入を容易にしている。
【００１６】  駐車場１は、タワー型で電動車両Ｃを乗込場Ｓに近い上段の駐車室Ｘに、２台分から４台分を収納可能にして、他の複数段を一般の車両を入庫する。電動車両Ｃを収納する各駐車室Ｘは、電動車両Ｃの給電口１２に接続するプラグ１１を備えた充電用電源８を備えて、乗込場Ｓで人が確実に接続することができるので、従来の機構のように駐車室Ｘでパレットと電源とが接触に失敗することがなく、安全で安心して収納することができる。
【００１７】  充電用電源８は、プラグ１１を駐車室Ｘから乗込場Ｓまでリード線１０を吊下げることができ、延出するリード線１０を巻回した巻取りドラム９が駐車室Ｘから昇降空間Ｅに移動して、昇降空間Ｅから乗込場Ｓに下降する。リード線１０の下降は、スイッチにより適切な位置に上下動させるものと、リード線１０を手で軽く引くことで巻き戻し・巻き出しを可能にするものがある。
【００１８】  プラグ１１は、ＯＮ・ＯＦＦの電源スイッチを備え、給電口１２と接続してから電源スイッチをＯＮに入れることで、プラグ自体が安全を確認して電源を低い値から正常値に高めて、人の確認を取れるように制御されている。ターン装置１５は、ピットＰに旋回駆動部と上下動シリンダを配置して、操作盤１４によりパレット３を搬送機２より若干上昇させて旋回して、再び搬送機２に下降して搭載して水平で安全な床面を形成する。
【００１９】  図２は、電動車両Ｃを駐車場１に入庫するために、乗込場Ｓに乗り入れの動作であり、出入口１６のゲート２０が開口しているとき、地上面ＧＬの通路を走行してターン装置１５に乗り入れる。電動車両Ｃは、乗込場Ｓの前面に配置してあるミラー１８に写る自車のタイヤ位置を確認して中央に進めることができ、ミラー１８の上段に案内表示灯２２があり、前進・後退・停止の表示により最適な停止位置に前進及び後退の動作で停車させることができる。運転者は、一旦乗込場Ｓから出て操作盤１４に向かい、乗り込んだ電動車両Ｃの給電口１２の位置を入力する。
【００２０】  給電口１２の位置は、リヤ側１２ｂであればそのままの状態で接続作業ができる作業領域１９を形成することができるが、フロント側１２ａであればゲート２０が閉鎖して、ターン装置１５を介して電動車両Ｃを旋回してからゲート２０を開口し、出入口１６と地上面ＧＬの通路とで広い作業領域１９を形成する。作業領域１９を形成中は、庇の下面に備えてある警報灯１３が点滅して、接続作業中であることを周辺に知らせている。
【００２１】電動車両Ｃの入庫は、給電口１２とプラグ１１との接続が完了すると、操作盤で指令することでゲート２０が閉鎖して、搬送機２が電動車両Ｃを搭載したパレット３を上昇する。搬送機２は、パレット３を搭載して上昇し、リード線１０もパレット３の上昇速度と同じ速度で巻取りドラム９に巻き取られ駐車室Ｘに隣接する昇降空間Ｅで停止して、駐車室Ｘにパレット３を横行させて入庫し、駐車時間中を充電することになる。
【００２２】  図３は、出庫するとき電動車両Ｃを搭載したパレット３が駐車室Ｘから昇降空間に横行して搬送機２に搭載され、搬送機２が乗込場に下降させてゲート２０を開口する。充電器８は、運転者が作業領域１９でプラグ１１を給電口１２ａから外して、上方へ押し上げることで巻取りドラム９が巻取り、駐車室Ｘに収納される。出庫する電動車両Ｃは、図３のように出入口１６にフロントＦが有るとき、乗出すことで完了する。電動車両Ｃの給電口１２ｂがリヤ側であるときは、プラグ１１を前記のように取外して、ゲート２０を一旦閉じて、ターン装置１５で旋回してフロントＦを出入口にして乗出すことで完了する。
【００２３】  図４は、入庫処理を示すもので、乗込場Ｓに電動車両Ｃを乗入れ、給電口１２を操作盤１４にフロント側１２ａかリヤ側１２ｂかを入力する。フロント側１２ａの電動車両Ｃは、ターン装置１５を旋回して給電口１２ａをフロント側に作業領域１９を形成して、出入口１６にプラグ１１を下降させて接続する。給電口１２ｂのリヤ側の時は、給電口１２ｂにプラグ１１を降下して接続する。電動車両Ｃは、パレット３に搭載されて、給電口１２にプラグ１１を接続した状態で搬送機２を上昇させ、駐車室Ｘにパレット３とプラグ１１と巻取りドラム９を収納することで完了する。
【００２４】  図５は、出庫動作を示すもので、駐車室Ｘからパレット３に搭載された電動車両Ｃを昇降空間Ｅに横行させて、搬送機２を上昇させて電動車両Ｃを搭載したパレット３を受け取って、乗込場Ｓにプラグ１１を接続した状態で下降させる。出庫する電動車両Ｃのプラグ１１は、ゲート２０を開口して広い空間の作業領域１９を形成し、その作業領域１９内で接続されているプラグ１１を外して、上方に引き上げ動作により自動的に駐車室Ｘに収納させる。乗込場Ｓの電動車両Ｃの乗出しは、プラグ１１が取外し完了してフロントＦの位置を指令して、フロントＦが出入口１６側の場合ではそのまま乗出すことで完了となるが、リヤＲであると一旦ゲート２０を閉じて、ターン装置１５で旋回させ、フロントＦを出入口１６に向かせることで、乗出し出庫を完了する。
【産業上の利用可能性】
【００２５】  本発明の電動車両の給電用のプラグを接続する作業領域を形成させる構成は、昇降空間に隣接する位置で別途に設置する乗込場であっても、乗込場でプラグを接続して、入庫可能にする装置を備える方式の駐車場にも採用することができる。
【符号の説明】
【００２６】１      駐車場
２      搬送機
３      パレット
４      横行装置
５      ガイドレール
６      索状体
７      駆動ローラ
８      充電用電源
９      巻取りドラム
１０    リード線
１１    プラグ
１２    給電口
１２ａ  フロント側
１２ｂ  リヤ側
１３    警報灯
１４    操作盤
１５    ターン装置
１６    出入口
１７    通路
１８    ミラー
１９    作業領域
２０    ゲート
２１    昇降駆動部
２２    案内表示灯
Ｅ      昇降空間
Ｘ      駐車室
Ｓ      乗込場
Ｃ      電動車両
Ｆ      フロント
Ｒ      リヤ
Ｐ      ピット
ＧＬ    地上面
【図１】
2013011155.tif 000003
【図２】
2013011155.tif 000004
【図３】
2013011155.tif 000005
【図４】
2013011155.tif 000006
【図５】
2013011155.tif 000007